【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
切削チップシステムであって、
単一の外周フライス削り工具ホルダー（１０２、１２９、１３４）に搭載するよう適合された複数の割出し可能な外周フライス削り切削チップ（３０、７１、９０−９２、１０１、１２１−１２７、１３１）を備えて成り、
切削チップ（３０、７１・・・）のそれぞれは、
チップ幅（Ｃｗ）が各切削チップ（３０、７１・・・）に対し同一であるチップ幅（Ｃｗ）と、
各切削チップ（３０、７１・・・）のそれぞれに対し異なるコーナ先端部（３２、７５）半径寸法を有するコーナ先端部（３２、７５）と、
軸方向芯合せクリアランス面（５０、６４、８７、９４−９６、１１６）であって、取り外し可能に単一の外周フライス削り工具ホルダー（１０２、１２９、１３４）に装着される時の複数の切削チップ（３０、７１・・・）のそれぞれに対し等価面位置と等価クリアランス角度を定義する軸方向芯合せクリアランス面（５０、６４・・・）とを備え、
切削チップ（３０、７１・・・）のそれぞれが更に頂面（３７、６３、７３）を備え、該頂面（３７、６３、７３）が、
実質的にコーナ先端部（３２、７５）まで延在する半径方向切削刃（３３、７６）と、
コーナ先端部（３２、７５）から反対方向に延在する主たる軸方向切削刃（２４、７７、１４６ａ、１４６ｂ、１５３a、１５３ｂ）と、
主たる軸方向切削刃（２４、７７、１４６ａ、１４６ｂ、１５３a、１５３ｂ）から鈍角に延在する架橋切削刃（３６、７９）と、
架橋切削刃（３６、７９）から鈍角に延在する従属的軸方向切削刃（３５、７８、１４７ａ、１４７ｂ、１５７ａ、１５７ｂ）とを有し、
前記切削チップ（３０、７１・・・）のそれぞれが、
半径方向切削刃（３３、７６）から下方に傾斜した主たる半径方向クリアランス面（４１、８０）と、
コーナ先端部（３２、７５）から下方に傾斜した円錐形（４６、８６）クリアランス面（４６、８６、１３２）と、
主たる軸方向切削刃（２４、７７、１４６ａ、１４６ｂ、１５３a、１５３ｂ）から下方に傾斜した主たる軸方向クリアランス面（４３、８３）と、
架橋切削刃（３６、７９）から下方に延在する架橋クリアランス面（４５、８５）と、
従属的軸方向切削刃（３５、７８・・・）から下方に延在する従属的軸方向クリアランス面（４４、８４）と、を備え、
軸方向芯合せクリアランス面（５０、６４・・・）が円錐形クリアランス面（４６、８６、１３２）と、主たる軸方向クリアランス面（４３、８３）と架橋クリアランス面（４５、８５）と従属的軸方向クリアランス面（４４、８４）とに交差し、
軸方向芯合せクリアランス面（５０、６４・・・）が更に底端部（５１、８８、９７、１１５、１３３）を備え、
前記切削チップ（３０、７１・・・）のそれぞれが更に底面（３８、６６、８２、９３）を備え、
軸方向芯合せクリアランス面（５０、６４・・・）の底端部（５１、８８、９７、１１５、１３３）が切削チップの底面（３８、６６、８２、９３）と交差する切削工具システム。
【請求項２】
請求項１記載の切削チップシステムにおいて、前記切削チップ（３０、７１・・・）のそれぞれの軸方向芯合せクリアランス面（５０、６４・・・）が実質的に平面である切削チップシステム。
【請求項３】
請求項１記載の切削チップシステムにおいて、前記切削チップ（３０、７１・・・）のそれぞれの軸方向芯合せクリアランス面（５０、６４・・・）が実質的に円錐形（４６、８６）である切削チップシステム。
【請求項４】
請求項１記載の切削チップシステムにおいて、切削チップ（３０、７１・・・）のそれぞれが一般的に平行四辺形状である切削チップシステム。
【請求項５】
請求項１記載の切削チップシステムにおいて、切削チップ（３０、７１・・・）のそれぞれが更に副コーナ先端部（１４４ａ、１４４ｂ、１５４Ａ、１５４Ｂ）を備える切削チップシステム。
【請求項６】
請求項１記載の切削チップシステムにおいて、前記頂面（３７、６３、７３）が一以上の平坦面と、角度付平坦面と、曲面とチップ溝形状を有する切削チップシステム。
【請求項７】
切削工具システムであって、該切削工具システムは、
少なくとも一つのチップポケットを備える工具ホルダー（１０２、１２９、１３４）と、
複数の割出し可能な外周フライス削り切削チップ（３０、７１、９０−９２、１０１、１２１−１２７、１３１）とを備えて成り、
切削チップ（３０、７１・・・）のそれぞれは、
チップポケットに確実に保持されるよう適合されチップ幅（Ｃｗ）が各切削チップ（３０、７１・・・）のそれぞれに対し同一であるチップ幅（Ｃｗ）と、
切削チップ（３０、７１・・・）のそれぞれに対し異なるコーナ先端部（３２、７５）半径寸法を有するコーナ先端部（３２、７５）と、
軸方向芯合せクリアランス面（５０、６４、８７、９４−９６、１１６）であって、前記工具ホルダー（１０２、１２９、１３４）の少なくとも一つのチップポケッに確実に保持される時の複数の切削チップ（３０、７１・・・）のそれぞれに対し等価面位置と等価クリアランス角度を定義する軸方向芯合せクリアランス面（５０、６４・・・）とを備え、
切削チップ（３０、７１・・・）のそれぞれが更に頂面（３７、６３、７３）を備え、該頂面（３７、６３、７３）が、
実質的にコーナ先端部（３２、７５）まで延在する半径方向切削刃（３３、７６）と、
コーナ先端部（３２、７５）から反対方向に延在する主たる軸方向切削刃（２４、７７、１４６ａ、１４６ｂ、１５３a、１５３ｂ）と、
主たる軸方向切削刃から鈍角に延在する架橋切削刃（３６、７９）と、
架橋切削刃（３６、７９）から鈍角に延在する従属的軸方向切削刃（３５、７８、１４７ａ、１４７ｂ、１５７ａ、１５７ｂ）とを有し、
前記切削チップ（３０、７１・・・）のそれぞれが、
半径方向切削刃（３３、７６）から下方に傾斜した主たる半径方向クリアランス面（４１、８０）と、
コーナ先端部（３２、７５）から下方に傾斜した円錐形（４６、８６）クリアランス面（４６、８６、１３２）と、
主たる軸方向切削刃（２４、７７、１４６ａ、１４６ｂ、１５３a、１５３ｂ）から下方に傾斜した主たる軸方向クリアランス面（４３、８３）と、
架橋切削刃（３６、７９）から下方に延在する架橋クリアランス面（４５、８５）と、
従属的軸方向切削刃（３５、７８・・・）から下方に延在する従属的軸方向クリアランス面（４４、８４）と、を備え、
軸方向芯合せクリアランス面（５０、６４・・・）が円錐形クリアランス面（４６、８６、１３２）と、主たる軸方向クリアランス面（４３、８３）と架橋クリアランス面（４５、８５）と従属的軸方向クリアランス面（４４、８４）とに交差し、
軸方向芯合せクリアランス面（５０、６４・・・）が更に底端部（５１、８８、９７、１１５、１３３）を備え、
前記切削チップ（３０、７１・・・）のそれぞれが更に底面（３８、６６、８２、９３）を備え、
軸方向芯合せクリアランス面（５０、６４・・・）の底端部（５１、８８、９７、１１５、１３３）が切削チップの底面（３８、６６、８２、９３）と交差する切削工具システム。
【請求項８】
請求項７記載の切削工具システムにおいて、切削チップ（３０、７１・・・）のそれぞれの軸方向芯合せクリアランス面（５０、６４・・・）が実質的に平面である切削工具システム。
【請求項９】
請求項７記載の切削工具システムにおいて、切削チップ（３０、７１・・・）のそれぞれの軸方向芯合せクリアランス面（５０、６４・・・）が実質的に円錐形（４６、８６）である切削工具システム。
【請求項１０】
請求項７記載の切削工具システムにおいて、切削チップ（３０、７１・・・）のそれぞれが一般的に平行四辺形状である切削工具システム。
【請求項１１】
請求項７記載の切削工具システムにおいて、切削チップ（３０、７１・・・）のそれぞれが更に、主たる半径方向クリアランス面（４１、８０）から下方に傾斜した従属的半径方向クリアランス面（４４、８４）を備える切削工具システム。
【請求項１２】
請求項７記載の切削工具システムにおいて、前記頂面（３７、６３、７３）が一以上の平坦面（３７、６３、７３）と、角度付平坦面と、曲面又はチップ溝形状付き面（７２）を有する切削工具システム。